(57)【要約】【課題】  充分な耐久性を有し、かつ保持の信頼性が高い。【解決手段】  カバー体１より突出し、相互に所定の間隔を空けて配置された脚部３２，３３と、脚部３２の先端から脚部３３側とは反対側へ延出する係合部３４と、係合部３４の先端から、カバー体１から離れる方向でかつ脚部３３側に向かって延出する案内部３５と、案内部３５の先端と脚部３３の先端とを連結する連結部３６と、脚部３２の脚部３３と対向する面と、カバー体１の裏面とを連結する補強部３８と、脚部３３の脚部３２と対向する面と反対側の面と、カバー体１の裏面とを連結する補強部３９と、脚部３２と脚部３３の互いに対向する面を連結する補強部３７とを備え、カバー体１をピラーパネル２に対して押し付ける過程で、案内部３５がピラーパネル２の開口縁２２に当接することにより係合部３４が弾性変形させられた後、原形に復してピラーパネル２の開口縁２２に係合する。【選択図】        図４
2005188664.tif 000002
【特許請求の範囲】
【請求項１】
第１部品に設けられ、第１部品を所定の軌跡で第２部品に対して押し付けることにより前記第２部品の縁に係合し、前記第１部品を前記第２部品に対して所定の位置に保持する係合爪であって、
前記第１部品より前記押し付け方向に突出し、相互に所定の間隔を空けて配置された第１及び第２脚部と、
前記第１脚部の先端から前記第２脚部側とは反対側へ延出する係合部と、
前記係合部の先端から、前記第１部品から離れる方向でかつ第２脚部側に向かって延出する案内部と、
前記案内部の先端と前記第２脚部の先端とを連結する連結部と、
前記第１脚部の前記第２脚部と対向する面又はこの面と反対側の面と、前記第１部品の裏面とを連結する第１補強部と、
前記第２脚部の前記第１脚部と対向する面又はこの面と反対側の面と、前記第１部品の裏面とを連結する第２補強部と、
前記第１脚部と前記第２脚部の互いに対向する面を連結する第３補強部とを備え、
前記第１部品を前記第２部品に対して押し付ける過程で、前記案内部が前記第２部品の縁に当接することにより前記係合部が第２部品の縁を通過するように弾性変形させられた後、原形に復して前記係合部が前記第２部品の縁に係合することを特徴とする係合爪。
【発明の詳細な説明】
【技術分野】
【０００１】
本発明は一の部品を他の部品に対し所定の位置に保持するための係合爪に関する。
【背景技術】
【０００２】
この種の係合爪としては例えば図６に示すように、一定幅の脚部５１の先端に三角状に突出する係合部５２を両側に形成したものがあり、これを第１部品５に設けて、第２部品６の取付穴６１内に挿入し、係合部５２を取付穴６１の穴縁に係合させることによって、第１部品５を第２部品６に保持させるものが知られている（以上、第１従来例）。また、第７図に示すように、一定幅の脚部７１の先端に略三角状に突出する係合部７２を片側のみに形成したものがあり、これを第１部品７に設けて、弾性変形した後の原形復元力によって上記係合部７２を第２部品８の係合溝８１の溝縁に係合させて、第１部品７を第２部品８に保持させるものが知られている（以上、第２従来例）。なお、特許文献１には第２従来例に相当する係合爪を使用した牽引フックカバーの取付構造が示されている。
【特許文献１】特開平１０−３２９６２９
【発明の開示】
【発明が解決しようとする課題】
【０００３】
しかし、上記第１および第２従来例の各係合爪においては、保持力をさらに向上させるために脚部の剛性を増大させると係合部が削れたり、あるいは脚部に応力が集中して当該脚部が破損するおそれがある等の問題があった。
【０００４】
そこで、本発明はこのような課題を解決するもので、充分な耐久性を有し、かつ保持の信頼性も高い係合爪を提供することを目的とする。
【課題を解決するための手段】
【０００５】
上記目的を達成するために本発明は、第１部品（１）に設けられ、第１部品（１）を所定の軌跡で第２部品（２）に対して押し付けることにより第２部品（２）の縁（２２）に係合し、第１部品（１）を第２部品（２）に対して所定の位置に保持する係合爪（３）であって、第１部品（１）より上記押し付け方向に突出し、相互に所定の間隔を空けて配置された第１及び第２脚部（３２，３３）と、第１脚部（３２）の先端から第２脚部（３３）側とは反対側へ延出する係合部（３４）と、係合部（３４）の先端から、第１部品（１）から離れる方向でかつ第２脚部（３３）側に向かって延出する案内部（３５）と、案内部（３５）の先端と第２脚部（３３）の先端とを連結する連結部（３６）と、第１脚部（３２）の第２脚部（３３）と対向する面又はこの面と反対側の面と、第１部品（１）の裏面とを連結する第１補強部（３８）と、第２脚部（３３）の第１脚部（３２）と対向する面又はこの面と反対側の面と、第１部品（１）の裏面とを連結する第２補強部（３９）と、第１脚部（３２）と第２脚部（３３）の互いに対向する面を連結する第３補強部（３７）とを備え、第１部品（１）を第２部品（２）に対して押し付ける過程で、案内部（３５）が第２部品（２）の縁（２２）に当接することにより係合部（３４）が第２部品（２）の縁（２２）を通過するように弾性変形させられた後、原形に復して係合部（３４）が第２部品（２）の縁（２２）に係合することを特徴としている。
【０００６】
本発明においては、第１部品に設けた係合爪の第１脚部、係合部、案内部、連結部、および第２脚部がループ部となっており、当該ループ部の一部を構成する上記係合部が第２部品の縁に係合することによって第１部品を第２部品に対して所定の位置に保持するようにしている。そして、係合部が弾性変形させられる際には第１脚部および第２脚部に応力が集中するが、これらには第１補強部および第２補強部がそれぞれ形成されているとともに、係合爪が全体としてループ状となっているために、応力が脚部以外の全体に分散されて充分な耐久性が発揮される。そして、第３補強部を設けたことにより係合爪全体の剛性も向上させられる。これにより、上記弾性変形の後の原形復元力が充分に発揮されて、係合爪による第２部品への第１部品の保持の信頼性が向上する。
【０００７】
なお、上記カッコ内の符号は、後述する実施形態に記載の具体的手段との対応関係を示すものである。
【発明の効果】
【０００８】
以上のように、本発明の係合爪は充分な耐久性を有し、かつ保持の信頼性も高いものである。
【発明を実施するための最良の形態】
【０００９】
図１には本発明の係合爪を適用した一例を示す。図１において、第１部品としてのカバー体１が第２部品としてのピラーパネル２に取り付けられている。すなわち、ピラーパネル２は図面手前側へ凹状に湾曲し、そのパネル面には、ピラーＰ内に設けられた図略のシートベルトリトラクタや車両後部に設けたリヤコンビネーションランプを保守するための矩形の作業開口２１が設けられている。カバー体１は、図面手前側へ凸状に湾曲する側面と上下の端面を有する矩形の樹脂製箱体で、左右方向の一方の開口縁の上下位置に形成された詳細を後述する係合爪３と、他方の開口縁の上下位置に形成された詳細を後述する係止片４とで作業開口１を覆うように保持されている。
【００１０】
図２には図１のII−II線に沿った水平断面図を示す。図２において、作業開口２１を設けたピラーパネル２は、左右方向の一方の開口縁２２が開口２１内へ一定量突出して、ここに取付穴２２１が形成されている。ピラーパネル２の他方の開口縁２３は開口２１内へ向けてやや折り曲げられている。カバー体１の係止片４の詳細を図３に示す。図３において、係止片４はカバー体１に一体に成形されており、上下方向（紙面垂直方向）へ幅を有する一定厚の係止壁４１と、係止壁４１の内側に沿って水平に延びるリブ４２とを備えている。係止壁４１はカバー体１の裏面から略逆Ｌ字形に突出し、その先端部４１１は後方（図の上方）へ向けて湾曲している。係止壁４１の中央の屈曲部には上記開口縁２３の先端を受け入れ可能なやや外方へ開放する溝条４１２が形成されている。
【００１１】
カバー体１の係合爪３の詳細断面図を図４に、その斜視図を図５に示す。図４、図５において、係合爪３は、湾曲して後方（図４、図５の上方）へ向かうカバー体１の開口縁裏面に一体に成形されて後方へ突出しており、上下方向（図４の紙面垂直方向、図５の左右方向）へ幅を有する一定厚の樹脂材を略ループ状に成形したループ部３１を有している。当該ループ部３１は、カバー体１の裏面から開口２１（図４）内方へ突出した後に略直角に後方へ屈曲して延びる脚部３２と、当該脚部３２から前方へ間隔をおいてカバー体１裏面に形成されて斜め後方へ延びる脚部３３と、脚部３２の先端から脚部３３側とは反対側へ山形に湾曲突出する係合部３４と、係合部３４の先端より、カバー体１から離れる方向でかつ脚部３３側に向かって斜めに延出する案内部３５と、案内部３５の先端と上記脚部３３の先端を連結する連結部３６とから構成されている。脚部３２と脚部３３の互いに対向する面は、ループ部３１と略同幅同厚の樹脂材よりなる直線状補強部３７で連結されている。また、補強部３７の一端が連結された脚部３２の基端屈曲部分からは、脚部３２の延長方向へ延びた後に略直角に屈曲してカバー体１の裏面に至る、ループ部３１と同幅同厚の樹脂材よりなる補強部３８が形成されている。さらに、脚部３３の、脚部３２とは反対側の面にはカバー体１の裏面との間に、平面視で略三角形のリブ状補強部３９が形成されている。なお、上記ループ部３１の、上記取付穴２２１へ挿入方向での水平幅Ｗ（図４）は、当該取付穴２２１の穴径よりも大きくしてある。
【００１２】
係合爪３を備える上記カバー体１をピラーパネル２の作業開口２１に取り付ける場合には、カバー体１裏面の上下の係止片４（図２に一方のみ示す）を、その係止壁４１（図３）に形成された溝条４１２内に開口縁２３の先端を進入させることによってこれに係止し、この状態で上記先端を中心にカバー体１を旋回させてカバー体１裏面の係合爪３を、図２の矢印で示すように、開口縁２２の取付穴２２１内に前方から後方へ進入させる。この過程で、傾斜する案内部３５が開口縁２２（より正確には取付穴２２１の穴縁）に当接することにより係合部３４は開口縁２２を通過するように弾性変形させられ、その後、原形に復して係合部３４が上記開口縁２２に係合する。この時、本実施形態では、係合部３４のみならず連結部３６も取付穴２２１の穴縁に当接係合する。これにより、カバー体１はピラーパネル２の作業開口２１を覆った位置で確実に保持される。ここで、係合爪３の係合部３４が弾性変形させられる際に両脚部３２，３３の特に基端には応力が集中するが、この部分に補強部３８，３９が形成されていることによって充分な耐久性が発揮されるとともに、補強部３７が存在することによって係合爪３全体の剛性が向上し、上記弾性変形後の原形復元力が充分に発揮されて、係合爪３の係合部３４によってカバー体１がピラーパネル２に対し高い信頼性で保持される。
【００１３】
なお、上記実施形態において、開口縁２２を取付開口２１内へ突出させて取付穴２２１を設ける必要は必ずしもなく、係合部３４のみを開口縁２２に係合させる構造としても良い。また、カバー体１を、係止片４によって開口縁２３先端を中心に旋回させて作業開口２１を閉じるようにしたが、係止片４に代えて係合爪を設けて、カバー体１を直線的に作業開口２１へ向けて押し込んでこれを閉じるようにしても良い。また、補強部３８，３９は脚部３２，３３とカバー体１裏面との間に設ければ良く、その位置や形状については上記実施形態のものには限られない。さらに、上記実施形態ではカバー体１をピラーパネル２の作業開口２１に取り付ける場合について説明したが、本発明の係合爪は、一の部品を他の部品に対して所定の位置に保持する用途に広く適用することができる。この場合、係合部が係合するのは部品の「縁」であれば良く、開口縁である必要はない。
【図面の簡単な説明】
【００１４】
【図１】本発明の一実施形態における、係合爪を備えたカバー体の取り付け状態を示す斜視図である。
【図２】図１のII−II線に沿った水平断面図である。
【図３】係止片の拡大平面図である。
【図４】係合爪の拡大平面図である。
【図５】係合爪の拡大斜視図である。
【図６】従来の係合爪を示す側面図である。
【図７】従来の係合爪を示す側面図である。
【符号の説明】
【００１５】
１…カバー体、２…ピラーパネル、２２…開口縁、３…係合爪、３１…ループ部、３２，３３…脚部、３４…係合部、３５…案内部、３６…連結部、３７，３８，３９…補強部。
【図１】
2005188664.tif 000003
【図２】
2005188664.tif 000004
【図３】
2005188664.tif 000005
【図４】
2005188664.tif 000006
【図５】
2005188664.tif 000007
【図６】
2005188664.tif 000008
【図７】
2005188664.tif 000009